(57)【要約】      （修正有）【課題】用水パイプラインの破損を防止できる、給水装置の設置構造を提供する。【解決手段】給水装置の設置構造１０は、圃場１００に用水を供給する用水パイプライン１０２に設けられて圃場への給水を制御する開閉部１２と、開閉部を開閉する電動アクチュエータ１４とを含む。電動アクチュエータの本体ケース４０は、開閉部上に取り付けられる。この本体ケースは、開閉部の周辺の地面に立設された支持部材７０によって支持される。【選択図】図１
2019165661.tif 000002
【特許請求の範囲】
【請求項１】
圃場に用水を供給する用水パイプラインに設けられて前記圃場への給水を制御する開閉部と、前記開閉部を開閉する電動アクチュエータとを含み、前記電動アクチュエータの本体ケースが前記開閉部上に設けられる給水装置の設置構造において、
前記開閉部の周辺の地面に立設され、前記本体ケースを支持する支持部材を備えることを特徴とする、給水装置の設置構造。
【請求項２】
前記支持部材は、
前記本体ケースを囲繞するように立設される筒状部と、
前記本体ケースから外方に突出するように設けられ、前記筒状部に係止される係止部とを含む、請求項１記載の給水装置の設置構造。
【請求項３】
前記係止部は、前記筒状部に対する横方向の動きを規制する横ずれ防止部を有する、請求項２記載の給水装置の設置構造。
【請求項４】
前記本体ケースと前記筒状部との間にセンサを収容可能な収容空間が形成される、請求項２または３記載の給水装置の設置構造。
【請求項５】
前記筒状部は、前記開閉部から当該筒状部内に排出された用水を前記圃場に導く給水口を有する、請求項２から４のいずれかに記載の給水装置の設置構造。
【請求項６】
前記筒状部は、前記給水口と異なる位置に点検口を有する、請求項５記載の給水装置の設置構造。
【請求項７】
前記地面に設けられ、前記筒状部が着脱可能に取り付けられる取付部を備える、請求項２から６のいずれかに記載の給水装置の設置構造。
【発明の詳細な説明】
【技術分野】
【０００１】
この発明は、給水装置の設置構造に関し、特にたとえば、用水パイプラインに設けられて圃場への給水を制御する開閉部と、開閉部を開閉する電動アクチュエータとを含む、給水装置の設置構造に関する。
【背景技術】
【０００２】
従来の給水装置の設置構造の一例が特許文献１に開示される。特許文献１の技術では、用水パイプラインの分岐管上端部に取り付けられた給水バルブの上に、この給水バルブを開閉する電動アクチュエータが設置される。つまり、給水バルブおよび電動アクチュエータは、用水パイプラインによって支持され、これらの荷重が用水パイプラインにかかる構造となっている。
【先行技術文献】
【特許文献】
【０００３】
【特許文献１】特開２０１７−１９３９１４号公報
【発明の概要】
【発明が解決しようとする課題】
【０００４】
特許文献１の技術を雪の多い地域（いわゆる豪雪地帯）に適用すると、積雪量が多くなったときに、雪の重みが加算された大きな荷重が用水パイプラインに加わり、用水パイプラインが破損してしまう恐れが生じる。このため現状では、冬場の休耕期などには給水バルブから電動アクチュエータを取り外すことで対応している。しかしながら、電動アクチュエータの取外し作業（およびその後の取付作業）には労力を要する上、電動アクチュエータを保管する屋内スペースの確保も必要となる。また、田んぼ毎の履歴が違うため、電動アクチュエータは同じ給水バルブに設置し直す必要があるが、取り外す電動アクチュエータの台数が多い場合には、これらの識別作業が困難となってしまう。
【０００５】
それゆえに、この発明の主たる目的は、新規な、給水装置の設置構造を提供することである。
【０００６】
この発明の他の目的は、電動アクチュエータの取外し作業を要することなく、用水パイプラインの破損を防止できる、給水装置の設置構造を提供することである。
【課題を解決するための手段】
【０００７】
第１の発明は、圃場に用水を供給する用水パイプラインに設けられて圃場への給水を制御する開閉部と、開閉部を開閉する電動アクチュエータとを含み、電動アクチュエータの本体ケースが開閉部上に設けられる給水装置の設置構造において、開閉部の周辺の地面に立設され、本体ケースを支持する支持部材を備えることを特徴とする、給水装置の設置構造である。
【０００８】
第１の発明では、給水装置の設置構造は、用水パイプラインに設けられる給水バルブ等の開閉部と、開閉部上に設けられる本体ケースを有し、開閉部を電動で開閉する電動アクチュエータとを含む。そして、電動アクチュエータの本体ケースは、開閉部の周辺の地面に立設される支持部材によって支持される。これにより、冬場の休耕期などにおいて積雪量が多くなったときでも、支持部材によってその荷重が受けられ、用水パイプラインに過剰な力が加わることが防止される。
【０００９】
第１の発明によれば、電動アクチュエータの本体ケースが地面に立設された支持部材によって支持されるので、用水パイプラインに上方からの過剰な力が加わることを適切に防止できる。したがって、雪の多い地域においても、冬場の休耕期に電動アクチュエータを取り外すことなく、用水パイプラインの破損を防止できる。また、その副次効果として電動アクチュエータを盗難され難くすることができる。
【００１０】
第２の発明は、第１の発明に従属し、支持部材は、本体ケースを囲繞するように立設される筒状部と、本体ケースから外方に突出するように設けられ、筒状部に係止される係止部とを含む。
【００１１】
第２の発明によれば、支持部材が筒状部を備えるので、筒状部によって開閉部および電動アクチュエータの周囲が防護される。したがって、開閉部および電動アクチュエータが草刈り機などの他の機械と接触して破損することを防止できる。
【００１２】
第３の発明は、第２の発明に従属し、係止部は、筒状部に対する横方向の動きを規制する横ずれ防止部を有する。
【００１３】
第３の発明によれば、係止部が横ずれ防止部を備えるので、積雪の影響などによって電動アクチュエータの本体ケースに横方向の荷重が加わった場合でも、本体ケースの横ずれ（倒れ）が防止される。
【００１４】
第４の発明は、第２または第３の発明に従属し、本体ケースと筒状部との間にセンサを収容可能な収容空間が形成される。
【００１５】
第４の発明によれば、収容空間を備えるので、冬場の休耕期などにおいて使用しないセンサを収容（保管）しておくことができる。これにより、センサの保管庫を別途用意したり、保管庫までセンサを運ぶ手間をなくしたりすることができる。
【００１６】
第５の発明は、第２から第４のいずれかの発明に従属し、筒状部は、開閉部から当該筒状部内に排出された用水を圃場に導く給水口を有する。
【００１７】
第５の発明によれば、筒状部を設置した状態での圃場への給水が可能となるので、開閉部を使用する農作期において、筒状部を取り外す必要がなくなる。
【００１８】
第６の発明は、第５の発明に従属し、筒状部は、給水口と異なる位置に点検口を有する。
【００１９】
第６の発明によれば、筒状部を設置した状態で、開閉部および電動アクチュエータの維持管理作業を行うことができるので、維持管理作業を行うために筒状部を取り外す必要がなくなる。
【００２０】
第７の発明は、第２から第６のいずれかの発明に従属し、地面に設けられ、筒状部が着脱可能に取り付けられる取付部を備える。
【００２１】
第７の発明によれば、筒状部が着脱可能なので、必要に応じて筒状部を取り外すことがでる。
【発明の効果】
【００２２】
この発明によれば、電動アクチュエータの本体ケースが地面に立設された支持部材によって支持されるので、用水パイプラインに過剰な力が加わることを適切に防止できる。したがって、雪の多い地域においても、冬場の休耕期に電動アクチュエータを取り外すことなく、用水パイプラインの破損を防止できる。また、その副次効果として電動アクチュエータを盗難され難くすることができる。
【００２３】
この発明の上述の目的、その他の目的、特徴および利点は、図面を参照して行う後述の実施例の詳細な説明から一層明らかとなろう。
【図面の簡単な説明】
【００２４】
【図１】この発明の一実施例である給水装置の設置構造を示す図解図である。
【図２】図１の設置構造に用いられる給水バルブの内部構造を示す図解図である。
【図３】図１の設置構造に用いられる電動アクチュエータの外観を示す図解図である。
【図４】図３の電動アクチュエータの内部構造を示す図解図である。
【図５】図２の給水バルブに図３の電動アクチュエータを取り付けた様子を示す図解図である。
【図６】図１の設置構造の外観を示す図解図である。
【図７】給水装置の設置構造の他の実施例を示す図解図である。
【図８】給水装置の設置構造を設置する方法の一例を説明するための図解図である。
【発明を実施するための形態】
【００２５】
図１を参照して、この発明の一実施例である給水装置の設置構造１０（以下、単に「設置構造１０」と言う。）は、圃場１００の用水管理を遠隔操作または自動制御などによって行う用水管理システムにおいて、用水パイプライン１０２から圃場１００への給水を制御する給水装置を設置する際に適用されるものである。詳細は後述するように、この設置構造１０は、用水パイプライン１０２に設けられる開閉部である給水バルブ１２と、給水バルブ１２を電動で開閉する電動アクチュエータ１４とを含み、電動アクチュエータ１４の本体ケース４０が給水バルブ１２上に取り付けられる。
【００２６】
先ず、設置構造１０の具体的な説明に先立ち、この実施例で用いる給水バルブ１２および電動アクチュエータ１４の構成について説明する。ただし、給水バルブ１２（つまり開閉部）および電動アクチュエータ１４の具体的構成については、これに限定されるものではなく、適宜変更可能である。
【００２７】
図２に示すように、給水バルブ１２は、用水パイプライン１０２から圃場１００への給水を制御するための装置である。この実施例では、一般的に広く普及している軸回転に伴い軸が上下動する方式の農業用水用給水バルブを用いている。
【００２８】
簡単に説明すると、給水バルブ１２は、円筒状の弁箱２０を備える。弁箱２０の上半部は、ドーム状のキャップ２２によって覆われており、弁箱２０の側壁上部には、複数の出水窓２４が周方向に並ぶように形成される。また、弁箱２０の上端部には、内周面に雌ねじが形成された軸受２６が設けられ、この軸受２６には、キャップ２２を貫通するように、外周面に雄ねじが形成された弁軸２８が螺合されている。この弁軸２８の下端には、下面に止水ゴム３０ａを有する円板状の弁体３０が設けられる。また、弁箱２０内の略中央部には、通水口３２ａを有する弁座３２が設けられる。このような給水バルブ１２では、弁軸２８に対して軸線回りの回転力が加えられると、送りねじ機構によって弁軸２８および弁体３０が上下動し、弁座３２の通水口３２ａが開閉される。
【００２９】
図３および図４に示すように、電動アクチュエータ１４は、円筒状の本体ケース４０を備える。本体ケース４０の大きさ、形状および材質などは、後述する内部機構を収容可能なものであれば特に限定されないが、この実施例では、呼び径が１５０ｍｍの硬質ポリ塩化ビニル製の短管および管継手を組み合わせることによって本体ケース４０を形成している。
【００３０】
本体ケース４０の上には、太陽電池パネル４２が着脱可能に取り付けられる。太陽電池パネル４２は、屈曲板状の保持体４４によって所定角度となるように支持される。なお、図示は省略するが、太陽電池パネル４２上に多量の積雪がある状況に備えて、保持体４４に楔形等の補強部材を嵌め込んでおくことで、上方からの荷重に対する保持体４４の強度を上げておくこともできる。
【００３１】
また、本体ケース４０の内部には、電子基板４６、アンテナ４８、蓄電池５０、モータ５２およびメインギア５４等が収容される。
【００３２】
電子基板４６には、図示は省略するが、ＣＰＵおよびメモリ等を含む制御部、無線通信部、および主電源などのスイッチ等が配設される。制御部は、電動アクチュエータ１４の全体制御を司り、モータ５２等の駆動を制御する。無線通信部は、アンテナ４８を介して他の機器と無線通信を行う。
【００３３】
蓄電池５０は、太陽電池パネル４２によって発電された電力を蓄電する。モータ５２は、蓄電池５０に蓄えられた電力によって駆動される。このモータ５２の出力軸５２ａの先端部には、小ギア５６が設けられており、メインギア５４は、この小ギア５６と連結されることで、モータ５２からの駆動力を受けて軸線回りに回転する。
【００３４】
メインギア５４は、両ボス型のギアであり、メインギア５４の軸部には、略円柱状の回転軸５８が挿通される。この回転軸５８の下端部には、給水バルブ１２の弁軸２８と回転不可に連結されるカップリング部５８ａが形成される。また、メインギア５４の軸部の内周面には、軸方向に沿って延びるキー溝５４ａが形成され、回転軸５８の外周面には、キー溝５４ａと嵌合される滑りキー５８ｂが軸方向に沿って延びるように形成される。これによって、回転軸５８は、メインギア５４が回転すると共に回転し、かつメインギア５４の軸部に対して軸方向に摺動可能となる。
【００３５】
また、本体ケース４０の外側面には、手動（電動手動）でモータ５２を駆動させるための操作パネル６０が設けられる。操作パネル６０には、上昇ボタン、下降ボタン、および電動アクチュエータ１４の動作モード（遠隔モード、自動モードまたは手動モード等）を切り替えるための選択ボタン等が適宜設けられる。この操作パネル６０には、後述する各センサから延びる配線を接続するための接続端子なども設けられる。また、本体ケース４０の下端部には、回転軸５８などの動作確認および清掃などの維持管理作業を行うための点検口６２が形成される。
【００３６】
また、図示は省略するが、圃場１００には、圃場水位を検出する超音波センサ等の水位センサ、気温を検出する温度センサ、気圧を検出する圧力センサ、土壌水分を検出する土壌水分センサ等のセンサが適宜設けられる。各センサは、配線などを介して電動アクチュエータ１４と接続され、各センサで検出された圃場水位や気温などのセンサ情報は、電動アクチュエータ１４の制御部に入力される。
【００３７】
図５に示すように、給水バルブ１２に電動アクチュエータ１４を取り付けるときには、給水バルブ１２のキャップ２２上に電動アクチュエータ１４の本体ケース４０を載置した状態で、キャップ２２および軸受２６と本体ケース４０の底壁とがボルト止めされる。また、給水バルブ１２の弁軸２８の上端部と電動アクチュエータ１４の回転軸５８のカップリング部５８ａとが回転不可に連結される。
【００３８】
電動アクチュエータ１４が取り付けられた給水バルブ１２では、たとえば、ユーザが遠隔操作端末を用いて電動アクチュエータ１４に対して全閉、全開または任意の開度などを示す操作指示（制御信号）を送信すると、電動アクチュエータ１４の制御部は、操作指示に応じてモータ５２を駆動させる。このモータ５２の駆動力は、メインギア５４に伝達されて、メインギア５４と共に回転軸５８が回転する。これにより、回転軸５８に固定的に連結された給水バルブ１２の弁軸２８に対して、回転力が付与される。回転力が加えられた弁軸２８は、自身と軸受２６との送りねじ機構によって上下動され、弁体３０が全開位置および全閉位置などに移動される。また、回転軸５８は、弁軸２８の上下動に伴い、メインギア５４の軸部を貫通するように上下動する。
【００３９】
続いて、図１および図６を参照して、設置構造１０の構成について説明する。この設置構造１０は、上述のように、用水パイプライン１０２から圃場１００への給水を制御する給水装置に適用される。
【００４０】
図１に示すように、用水パイプライン１０２は、圃場１００に形成される複数の耕作区に亘って延びるように埋設される本管１０２ａと、本管１０２ａから分岐して各耕作区まで延びる分岐管１０２ｂとを含む。給水バルブ１２および電動アクチュエータ１４は、この分岐管１０２ｂの下流側端部に設けられる。具体的には、分岐管１０２ｂの下流側端部は、立上り管となっており、この立上り管の上端部に、給水バルブ１２の弁箱２０の下端部が接続される。また、給水バルブ１２のキャップ２２上に、電動アクチュエータ１４の本体ケース４０が設置される。
【００４１】
このように、用水パイプライン１０２によって支持されるように給水バルブ１２および電動アクチュエータ１４を設置すると、冬場の休耕期などにおいて積雪量が多くなったときに、雪の重みが加算された大きな荷重が用水パイプライン１０２に加わることで、用水パイプライン１０２が破損してしまう恐れが生じる。
【００４２】
そこで、この実施例の設置構造１０では、給水バルブ１２の周辺の地面に立設した支持部材７０によって、電動アクチュエータ１４の本体ケース４０を支持することで、用水パイプライン１０２にかかる荷重を低減するようにしている。以下、具体的に説明する。
【００４３】
図１および図６に示すように、支持部材７０は、本体ケース４０を囲繞するように地面に立設される筒状部７２と、本体ケース４０から外方に突出するように設けられて、筒状部７２に係止される係止部７４とを含む。
【００４４】
筒状部７２は、円筒状に形成され、給水バルブ１２の周辺の地面に設けられた取付部７６に対して下端部が嵌め込まれることで、地面に着脱可能に立設される。この実施例では、給水バルブ１２の下方には、出水窓２４から排出される用水を受け止めて地面の削れを防止するための有底筒状の水受けが設けられる。水受けは、筒状部７２の外径と略同じ大きさの内径を有する樹脂製キャップ等を用いて形成され、モルタル１０４等によって圃場１００に固定される。そして、この水受けが、筒状部７２の取付部７６として用いられる。
【００４５】
筒状部７２の上端には、係止部７４を係止する複数の受け部７８が周方向に並ぶように形成される。後述のように、この実施例の係止部７４は、高さ位置が異なるものを含むので、各受け部７８は、筒状部７２の上端部を略矩形状に切り欠くことによって、各係止部７４に合わせた高さ位置に形成される。
【００４６】
また、筒状部７２には、管壁を厚み方向に貫通する給水口８０が形成される。給水口８０は、給水バルブ１２から筒状部７２内に排出された用水を圃場１００に導くための開口である。筒状部７２が給水口８０を有することで、筒状部７２を取り付けたままで圃場１００への給水が可能となる。したがって、給水バルブ１２を使用する農作期において、筒状部７２を取り外す必要がなくなる。さらに、筒状部７２には、給水口８０と異なる位置（たとえば給水口８０の反対側）に、管壁を厚み方向に貫通する点検口８２が形成される。点検口８２は、給水バルブ１２および電動アクチュエータ１４の動作確認および清掃などの維持管理作業を行うための開口である。筒状部７２が点検口８２を有することで、筒状部７２を取り付けたままで、給水バルブ１２および電動アクチュエータ１４の維持管理作業が可能となり、維持管理作業を行うために筒状部７２を取り外す必要がなくなる。ただし、給水口８０を点検口として利用することもできる。
【００４７】
この実施例では、筒状部７２は、呼び径が３００ｍｍの硬質ポリ塩化ビニル製の管を用いることで、本体ケース４０の下半部までを覆う円筒状に形成される。この筒状部７２の呼び径は、太陽電池パネル４２が本体ケース４０に装着された状態でも、筒状部７２が取付部７６から着脱（挿抜）できるように設定されたものである。また、本体ケース４０と筒状部７２との間に、センサを収容可能な収容空間８４を形成するために設定されたものでもある。この収容空間８４は、冬場の休耕期などにおいて、上述の土壌水分センサ等のセンサを使用しないときに、当該センサを収容（保管）しておくため等に用いられる。これにより、センサの保管庫を別途用意したり、保管庫までセンサを運ぶ手間をなくしたりすることができる。ただし、筒状部７２の大きさ（径および高さ）、形状および材質などは、本体ケース４０の周囲を囲繞するように地面に立設でき、かつ所定の荷重に耐え得る強度を有するものであれば、特に限定されない。
【００４８】
係止部７４は、電動アクチュエータ１４の本体ケース４０から外方に突出するように設けられ、係止部７４の先端部は、筒状部７２の受け部７８によって係止される。この実施例では、２組の金属製のサドルバンドを十字状に上下に並べて本体ケース４０に固着することで、係止部７４が設けられる。つまり、この実施例では、段違いで十字状に延びる４つの係止部７４が設けられる。
【００４９】
係止部７４の先端部には、筒状部７２に対する係止部７４の横方向の動きを規制する横ずれ防止部８６が設けられる。横ずれ防止部８６は、ロックピン等のピンによって形成され、筒状部７２の内側面および外側面に係止されることで、筒状部７２に対する係止部７４の横方向の動き、延いては係止部７４が固着される電動アクチュエータ１４の本体ケース４０の横方向の動きを規制する。ただし、横ずれ防止部８６の具体的構成については適宜変更可能であり、たとえば、筒状部７２の内側面および外側面のいずれか一方に横ずれ防止部８６を係止させるようにしてもよい。また、ピンを設ける代わりに、係止部７４の下端面に形成した切欠きまたは突起を横ずれ防止部８６として用いてもよい。
【００５０】
このような設置構造１０では、電動アクチュエータ１４の本体ケース４０が、地面に立設された支持部材７０によって支持される。このため、冬場の休耕期などにおいて積雪量が多くなったときでも、支持部材７０によってその荷重が受けられ、用水パイプライン１０２に上方からの過剰な力が加わることを適切に防止できる。また、支持部材７０の係止部７４が横ずれ防止部８６を備えるので、積雪の影響によって電動アクチュエータ１４の本体ケース４０に横方向の荷重が加わった場合でも、本体ケース４０の横ずれ（倒れ）が防止されると共に、用水パイプライン１０２に過剰な横方向の力が加わることを防止できる。さらに、支持部材７０が筒状部７２を備えるので、筒状部７２によって給水バルブ１２および電動アクチュエータ１４の周囲が防護される。したがって、たとえば草刈り時において、給水バルブ１２および電動アクチュエータ１４が草刈り機と接触して破損することを防止できる。
【００５１】
以上のように、この実施例によれば、電動アクチュエータ１４の本体ケース４０が地面に立設された支持部材７０によって支持されるので、用水パイプライン１０２に過剰な力が加わることを適切に防止できる。したがって、雪の多い地域においても、冬場の休耕期に電動アクチュエータ１４の取外し作業を要することなく、用水パイプライン１０２の破損を防止できる。また、電動アクチュエータ１４を取り外さないことの副次効果として、電動アクチュエータ１４を盗難され難くすることができる。
【００５２】
なお、上述の実施例では、本体ケース４０の上半部および太陽電池パネル４２を露出させていたが、図７に示す実施例のように、露出部分を梱包紙などの被覆部材８８で覆うようにしてもよい。このように、給水バルブ１２および電動アクチュエータ１４の略全体を筒状部７２および被覆部材８８によって覆うことで、風、雪および雨などの外部環境がこれらに及ぼす影響を低減させることができる。したがって、給水バルブ１２および電動アクチュエータ１４の破損ないし故障をより確実に防止できる。
【００５３】
また、上述の実施例では、支持部材７０の筒状部７２を円筒状に形成したが、これに限定されず、筒状部７２は角筒状に形成されてもよい。また、筒状部７２は、リブパイプ（リブ付管）によって形成することもできるし、周方向に分割可能な分割管によって形成することもできる。さらに、筒状部７２は、合成樹脂板を円筒状に巻くことで形成することもできる。この場合、夏場などの農作期において、筒状部７２を取付部７６から取り外して平板状に広げ、給水バルブ１２の周囲に敷いて雑草防止板として用いたり、トラクタ等の農業機械の搬入路に敷いて泥濘防止板として用いたりすることができる。ただし、支持部材７０は、必ずしも筒状部７２を備える必要はなく、Ｌ形鋼などの形鋼を組み合わせて支持部材７０を形成することもできる。
【００５４】
さらに、上述の実施例では、有底筒状の水受けを筒状部７２の取付部７６として用いたが、圃場１００に設けた円環状の溝部を取付部７６として用いてもよい。図８には、円環溝状の取付部７６を有する給水桝１１０の形成方法の一例を示す。
【００５５】
この形成方法では、先ず、図８(Ａ)に示すように、用水パイプライン１０２の分岐管１０２ｂの下流側端部を囲繞するように、筒状部７２と同じ呼び径を有する硬質ポリ塩化ビニル製の短管１０６を設置する。次に、図８(Ｂ)に示すように、短管１０６を外周部に給水桝１１０の側壁となるモルタル１０８ａを施工すると共に、モルタル１０８ａよりも上面が低くなるように、分岐管１０２ｂと短管１０６との間に給水桝１１０の底壁（水受け）となるモルタル１０８ｂを施工する。そして、所定時間の養生後、図８(Ｃ)に示すように、短管１０６を取り除くことで、円環溝状の取付部７６を有する給水桝１１０が出来上がる。その後、支持部材７０の筒状部７２の下端部を取付部７６に嵌め込むことで、筒状部７２が地面に立設される。
【００５６】
また、図示は省略するが、設置構造１０は、支持部材７０の周囲に立設される複数の防護杭を備えるようにしてもよい。これによって、トラクタ等の農業機械が給水バルブ１２および電動アクチュエータ１４に接触してこれらが破損することをより確実に防止できる。また、図示は省略するが、支持部材７０の近傍に、想定される積雪量よりも背の高い旗を設置しておくこともできる。これにより、給水バルブ１２および電動アクチュエータ１４が雪に埋もれてしまった場合でも、これらの位置が分かるので、トラクタ等の農業機械が接触することを未然に防ぐことができる。
【００５７】
さらに、上述の実施例では、電動アクチュエータ１４は、本体ケース４０上に設置される太陽電池パネル４２を備えるようにしたが、太陽電池パネル４２は、他の場所に設置されていてもよい。また、商用電源などの他の電源を使用できる環境に設置構造１０が適用される場合には、電動アクチュエータ１４は、必ずしも太陽電池パネル４２および蓄電池５０を備える必要はない。
【００５８】
なお、上で挙げた寸法などの具体的数値および具体的形状などは、いずれも単なる一例であり、製品の仕様などの必要に応じて適宜変更可能である。
【符号の説明】
【００５９】
１０  …給水装置の設置構造
１２  …給水バルブ（開閉部）
１４  …電動アクチュエータ
４０  …本体ケース
７０  …支持部材
７２  …筒状部
７４  …係止部
７６  …取付部
８０  …給水口
８２  …点検口
８４  …収容空間
８６  …横ずれ防止部
８８  …被覆部材
１００  …圃場
１０２  …用水パイプライン
【図１】
2019165661.tif 000003
【図２】
2019165661.tif 000004
【図３】
2019165661.tif 000005
【図４】
2019165661.tif 000006
【図５】
2019165661.tif 000007
【図６】
2019165661.tif 000008
【図７】
2019165661.tif 000009
【図８】
2019165661.tif 000010